(57)【要約】  特定の表示装置１００は、当該特定の表示装置１００の補正輝度である第１補正輝度を表示制御装置２００へ送信する。他の表示装置１００は、当該他の表示装置１００の補正輝度である第２補正輝度を表示制御装置２００へ送信する。表示制御装置２００の算出部２５は、補正対象の映像データの補正に第１補正輝度および第２補正輝度を反映させるための補正係数を、当該第１補正輝度と当該第２補正輝度とに基づいて算出する。
2019092774.tif 000002
【特許請求の範囲】
【請求項１】
複数のＬＥＤ（５ｓ）で構成される画面（１０）を有する複数の表示装置（１００）と、当該複数の表示装置（１００）と通信する表示制御装置（２００）とを含む表示システムであって、
各前記表示装置（１００）は、
各前記ＬＥＤ（５ｓ）の輝度の補正に使用するための輝度補正係数、当該輝度補正係数により補正された、前記各ＬＥＤ（５ｓ）の輝度である補正輝度、および、当該表示装置（１００）の個別情報を記憶する記憶部（８）を備え、
前記複数の表示装置（１００）のうちの特定の表示装置（１００）は、当該特定の表示装置（１００）の前記補正輝度である第１補正輝度を前記表示制御装置（２００）へ送信し、
前記複数の表示装置（１００）のうち、前記特定の表示装置（１００）以外の他の表示装置（１００）は、当該他の表示装置（１００）の前記補正輝度である第２補正輝度を前記表示制御装置（２００）へ送信し、
前記表示制御装置（２００）は、前記複数の表示装置（１００）に対応する複数の前記個別情報を管理し、
前記表示制御装置（２００）は、
補正対象の映像データの補正に前記第１補正輝度および前記第２補正輝度を反映させるための補正係数を、当該第１補正輝度と当該第２補正輝度とに基づいて算出する算出部（２５）を備え、
前記各表示装置（１００）は、
前記輝度補正係数と前記補正係数とに基づき補正された前記補正対象の映像データに基づいて、前記複数のＬＥＤ（５ｓ）を駆動させる駆動部（４）をさらに備える
表示システム。
【請求項２】
前記表示制御装置（２００）は、前記特定の表示装置（１００）の前記複数のＬＥＤ（５ｓ）の各々の点灯時間を累積した累積点灯時間と、前記他の表示装置（１００）の前記複数のＬＥＤ（５ｓ）の各々の点灯時間を累積した他の累積点灯時間とを管理しており、
前記表示制御装置（２００）は、
前記輝度補正係数と、前記補正係数と、前記累積点灯時間と、前記他の累積点灯時間とに基づいて、前記補正対象の映像データを補正する輝度補正部（１２）をさらに備える
請求項１に記載の表示システム。
【請求項３】
前記表示制御装置（２００）の算出部（２５）は、前記累積点灯時間に基づいて前記特定の表示装置（１００）の前記複数のＬＥＤ（５ｓ）の各々の輝度維持率を算出し、かつ、前記他の累積点灯時間に基づいて、前記他の表示装置（１００）の前記複数のＬＥＤ（５ｓ）の各々の他の輝度維持率を算出し、
前記表示制御装置（２００）の前記輝度補正部（１２）は、
前記輝度補正係数と、前記補正係数と、前記輝度維持率と、前記他の輝度維持率とに基づいて、前記補正対象の映像データを補正する
請求項２に記載の表示システム。
【請求項４】
前記各表示装置（１００）の前記駆動部（４）は、前記輝度補正部（１２）により補正された前記補正対象の映像データに基づいて、前記複数のＬＥＤ（５ｓ）を駆動させる
請求項２または３に記載の表示システム。
【請求項５】
前記表示制御装置（２００）は、前記複数の個別情報のいずれかの変化に基づいて、前記複数の表示装置（１００）のいずれかが、別の表示装置（１００）である交換表示装置と交換されたことを検出する
請求項１から４のいずれか１項に記載の表示システム。
【請求項６】
前記複数の表示装置（１００）の前記画面（１０）により、矩形のマルチ画面（１０Ａ）が構成されるように、当該複数の表示装置（１００）は行列状に配置されており、
前記表示制御装置（２００）は、前記マルチ画面（１０Ａ）における、前記複数の表示装置（１００）の座標を管理しており、
前記表示制御装置（２００）は、前記マルチ画面（１０Ａ）における前記交換表示装置の座標に基づいて、当該マルチ画面（１０Ａ）における当該交換表示装置全体の領域である交換領域を特定する
請求項５に記載の表示システム。
【請求項７】
前記表示制御装置（２００）は、前記マルチ画面（１０Ａ）を構成するｓ（２以上の整数）個のＬＥＤ（５ｓ）の各々の点灯時間を累積した累積点灯時間を管理しており、
前記表示制御装置（２００）は、
（ａ１）前記マルチ画面（１０Ａ）を構成する前記ｓ個のＬＥＤ（５ｓ）のうち、前記交換領域に含まれるＬＥＤ（５ｓ）である交換ＬＥＤの前記累積点灯時間をゼロに設定し、
（ａ２）前記交換ＬＥＤの前記累積点灯時間を、当該交換ＬＥＤの点灯時間に応じて、変更する
請求項６に記載の表示システム。
【請求項８】
請求項１から７のいずれか１項に記載の前記表示システムにおける前記複数の表示装置（１００）のいずれか１つである表示装置。
【請求項９】
複数のＬＥＤ（５ｓ）で構成される画面（１０）を有する複数の表示装置（１００）と通信する表示制御装置（２００）であって、
各前記表示装置（１００）は、各前記ＬＥＤ（５ｓ）の輝度の補正に使用するための輝度補正係数、当該輝度補正係数により補正された、前記各ＬＥＤ（５ｓ）の輝度である補正輝度、および、当該表示装置（１００）の個別情報を記憶しており、
前記複数の表示装置（１００）のうちの特定の表示装置（１００）は、当該特定の表示装置（１００）の前記補正輝度である第１補正輝度を前記表示制御装置（２００）へ送信し、
前記複数の表示装置（１００）のうち、前記特定の表示装置（１００）以外の他の表示装置（１００）は、当該他の表示装置（１００）の前記補正輝度である第２補正輝度を前記表示制御装置（２００）へ送信し、
前記表示制御装置（２００）は、前記複数の表示装置（１００）に対応する複数の前記個別情報を管理し、
前記表示制御装置（２００）は、
補正対象の映像データの補正に前記第１補正輝度および前記第２補正輝度を反映させるための補正係数を、当該第１補正輝度と当該第２補正輝度とに基づいて算出する算出部（２５）を備え、
前記各表示装置（１００）は、前記輝度補正係数と前記補正係数とに基づき補正された前記補正対象の映像データに基づいて、前記複数のＬＥＤ（５ｓ）を駆動させる
表示制御装置。
【発明の詳細な説明】
【技術分野】
【０００１】
本発明は、複数のＬＥＤ（Light Emitting Diode）を有する表示システム、表示装置および表示制御装置に関する。
【背景技術】
【０００２】
ＬＥＤを有するＬＥＤ表示装置は、ＬＥＤの技術発展および低コスト化に伴い、屋外または屋内における広告表示等のために使用される機会が増えつつある。これまで、ＬＥＤ表示装置は、自然画およびアニメーションの動画像を表示することが主であった。しかし、近年、例えば、会議室の表示用途、監視用途といった屋内用途のＬＥＤ表示装置、特に監視用途のＬＥＤ表示装置において、画素ピッチの狭ピッチ化が進んでいる。そのため、ＬＥＤ表示装置の視認距離が短くなっている。これにより、ＬＥＤ表示装置において、例えば、静止画に近いパソコン画像を表示することが多くなっている。【０００３】
ところで、ＬＥＤの輝度は、当該ＬＥＤの累積点灯時間が長くなる程、低下する。そのため、画像の内容、ＬＥＤの配置位置等によって、各ＬＥＤの輝度低下率は互いに異なる。その結果、画素ごとに、輝度ばらつき、および、色ばらつきが発生する。【０００４】
そこで、輝度ばらつきおよび色ばらつきを低減するための技術が特許文献１，２に開示されている。特許文献１では、ＬＥＤ表示部に含まれる各ＬＥＤの輝度補正係数に基づいて、表示データを補正する構成（以下、「関連構成Ａ」ともいう）が開示されている。特許文献２では、ＬＥＤの点灯時間を累積した累積点灯時間に基づいてＬＥＤの輝度を補正する構成（以下、「関連構成Ｂ」ともいう）が開示されている。
【先行技術文献】
【特許文献】
【０００５】
【特許文献１】特開平１１−０１５４３７号公報
【特許文献２】特開２００６−３３０１５８号公報
【発明の概要】
【発明が解決しようとする課題】
【０００６】
近年では、複数の表示装置（ＬＥＤ表示装置）を使用した構成が利用される機会が増えつつある。当該構成では、複数の表示装置間における輝度ばらつきを抑制することが望まれる。各表示装置には、一般的に、当該表示装置における輝度ばらつきを抑制するために、関連構成Ａのように、輝度補正係数が記憶されている。【０００７】
複数の表示装置間における輝度ばらつきを抑制するためには、各表示装置の輝度補正係数により補正された、当該各表示装置のＬＥＤの輝度（以下、「補正輝度」ともいう）を考慮して、映像データの補正を行うための構成が要求される。１台の表示装置を対象とした関連構成Ａ，Ｂでは、この要求を満たすことはできない。【０００８】
本発明は、このような問題を解決するためになされたものであり、複数の補正輝度に基づいて、映像データの補正を行うための構成を有する表示システム等を提供することを目的とする。
【課題を解決するための手段】
【０００９】
上記目的を達成するために、本発明の一態様に係る表示システムは、複数のＬＥＤで構成される画面を有する複数の表示装置と、当該複数の表示装置と通信する表示制御装置とを含む。各前記表示装置は、各前記ＬＥＤの輝度の補正に使用するための輝度補正係数、当該輝度補正係数により補正された、前記各ＬＥＤの輝度である補正輝度、および、当該表示装置の個別情報を記憶する記憶部を備え、前記複数の表示装置のうちの特定の表示装置は、当該特定の表示装置の前記補正輝度である第１補正輝度を前記表示制御装置へ送信し、前記複数の表示装置のうち、前記特定の表示装置以外の他の表示装置は、当該他の表示装置の前記補正輝度である第２補正輝度を前記表示制御装置へ送信し、前記表示制御装置は、前記複数の表示装置に対応する複数の前記個別情報を管理し、前記表示制御装置は、補正対象の映像データの補正に前記第１補正輝度および前記第２補正輝度を反映させるための補正係数を、当該第１補正輝度と当該第２補正輝度とに基づいて算出する算出部を備え、前記各表示装置は、前記輝度補正係数と前記補正係数とに基づき補正された前記補正対象の映像データに基づいて、前記複数のＬＥＤを駆動させる駆動部をさらに備える。
【発明の効果】
【００１０】
本発明によれば、特定の表示装置は、第１補正輝度を前記表示制御装置へ送信する。他の表示装置は、第２補正輝度を前記表示制御装置へ送信する。前記表示制御装置の算出部は、補正対象の映像データの補正に前記第１補正輝度および前記第２補正輝度を反映させるための補正係数を、当該第１補正輝度と当該第２補正輝度とに基づいて算出する。【００１１】
補正係数は、補正対象の映像データの補正に第１補正輝度および第２補正輝度を反映させるための係数である。すなわち、補正係数は、映像データの補正において利用される係数である。また、補正係数は、第１補正輝度と第２補正輝度とに基づいて算出される。そのため、第１補正輝度と第２補正輝度とに基づいて、映像データの補正において利用される補正係数を算出する構成は、複数の補正輝度に基づいて、映像データの補正を行うための構成に相当する。したがって、複数の補正輝度に基づいて、映像データの補正を行うための構成を有する表示システムを提供することができる。【００１２】
この発明の目的、特徴、態様、および利点は、以下の詳細な説明と添付図面とによって、より明白となる。
【図面の簡単な説明】
【００１３】
【図１】本発明の実施の形態１に係る表示システムの構成を示すブロック図である。
【図２】本発明の実施の形態１に係る全表示装置配列体の正面図である。
【図３】本発明の実施の形態１に係る表示装置の構成を示すブロック図である。
【図４】本発明の実施の形態１に係る表示制御装置の構成を示すブロック図である。
【図５】ＰＷＭ方式の駆動の一例を示す図である。
【図６】ＬＥＤの累積点灯時間に対する緑色ＬＥＤの輝度維持率を示す図である。
【図７】ＬＥＤの累積点灯時間に対する赤色、緑色、青色ＬＥＤの輝度維持率を示すテーブルを示す図である。
【図８】表示システムの特徴的な機能構成を示すブロック図である。
【図９】表示制御装置のハードウエア構成図である。
【発明を実施するための形態】
【００１４】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１５】
＜実施の形態１＞
図１は、本発明の実施の形態１に係る表示システム１０００の構成を示すブロック図である。図１において、Ｘ方向およびＹ方向は、互いに直交する。以下の図に示されるＸ方向およびＹ方向も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｘ軸方向およびＹ軸方向を含む平面を、「ＸＹ面」ともいう。
【００１６】
図１を参照して、表示システム１０００は、全表示装置配列体５００と、表示制御装置２００とを含む。図２は、本発明の実施の形態１に係る全表示装置配列体５００の正面図である。
【００１７】
全表示装置配列体５００は、表示ユニットとしての複数の表示装置１００を含む。複数の表示装置１００の各々は、詳細は後述するが、同一の構成を有する。全表示装置配列体５００は、一例として、３６台の表示装置１００から構成されている。なお、全表示装置配列体５００を構成する表示装置１００の数は、３６に限定されず、２から３５、または、３７以上であってもよい。
【００１８】
全表示装置配列体５００は、３６台の表示装置１００が、一例として、図１のように、６行６列の行列状に配置されることにより構成される配列体である。３６台の表示装置１００には、ＩＤ番号が設定されている。以下においては、ＩＤ番号を、単に、「ＩＤ」ともいう。図１は、３６台の表示装置１００に、１から３６のＩＤが、重複しないように設定されている状態を示す。
【００１９】
３６台の表示装置１００は、映像信号の配信、および、制御信号の通信を効率よく行うことができるように、一例として、３つのグループに分類される。具体的には、全表示装置配列体５００は、表示装置群Ｇ１，Ｇ２，Ｇ３で構成される。表示装置群Ｇ１，Ｇ２，Ｇ３の各々は、１２台の表示装置１００で構成される。表示装置群Ｇ１，Ｇ２，Ｇ３の各々を構成する１２台の表示装置１００は、通信ケーブル（図示せず）によりデイジーチェーン接続されている。
【００２０】
以下においては、デイジーチェーン接続された複数の表示装置１００において情報（データ）が伝達される順序を、「伝達順序」ともいう。例えば、表示装置群Ｇ１を構成する複数の表示装置１００には、デイジーチェーン接続により、当該複数の表示装置１００おいて情報（データ）が伝達される順序（伝達順序）が規定されている。
【００２１】
また、以下においては、前述の伝達順序に従った通信を、「デイジーチェーン通信」ともいう。デイジーチェーン通信では、デイジーチェーン接続された複数の表示装置１００において、伝達順序に従って情報（データ）が伝達される。デイジーチェーン通信では、例えば、図１の矢印に従った伝達順序で、情報（データ）が伝達される。例えば、表示装置群Ｇ１では、ＩＤが、６，５，４，３，２，１，７，８，９，１０，１１，１２に設定されている１２台の表示装置１００の順で、情報（データ）が伝達される。
【００２２】
また、以下においては、伝達順序を示す番号を、「順序番号ｎ」または「順序番号」ともいう。「ｎ」は、自然数である。順序番号ｎは、表示装置群Ｇ１，Ｇ２，Ｇ３の各々を構成する複数の表示装置１００において、データが伝達される順番である。例えば、表示装置群Ｇ１において、ＩＤが６である表示装置１００の順序番号ｎは１であり、ＩＤが５である表示装置１００の順序番号ｎは２である。以下においては、順序番号ｎが１である表示装置１００を、「１番目表示装置」ともいう。
【００２３】
表示装置群Ｇ１，Ｇ２，Ｇ３の各々は、表示制御装置２００と通信可能に構成されている。表示装置群Ｇ１，Ｇ２，Ｇ３の各々は、デイジーチェーン通信を行う。そのため、表示制御装置２００は、全表示装置配列体５００に含まれる複数の表示装置１００と通信する。
【００２４】
表示装置１００は、例えば、ＬＥＤ表示装置である。各表示装置１００の形状は、直方体である。複数の表示装置１００は、図１のように、ＸＹ面において行列状に配置される。なお、各表示装置１００の形状は、当該各表示装置１００を行列状に配置可能な形状であれば、直方体以外の形状であってもよい。
【００２５】
各表示装置１００は、画面１０を有する。図２のように、全表示装置配列体５００は、マルチ画面１０Ａを含む。マルチ画面１０Ａの形状は、矩形である。マルチ画面１０Ａは、ＸＹ面と平行である。図２に示すように、マルチ画面１０Ａは、複数の表示装置１００が、それぞれ有する複数の画面１０が行列状に配置されて構成される１つの画面である。なお、マルチ画面１０Ａを構成する画面１０の数は、３６に限定されず、２から３５、または、３７以上であってもよい。
【００２６】
なお、各表示装置１００の画面１０は、一例として、当該表示装置１００の前面全体に配置される。そのため、図２のマルチ画面１０Ａの形状は、図１の全表示装置配列体５００のＸＹ面の形状と同じである。
【００２７】
複数の表示装置１００の画面１０により、矩形のマルチ画面１０Ａが構成されるように、当該複数の表示装置１００は行列状に配置されている。全表示装置配列体５００は、各表示装置１００が画面１０に映像を表示することにより、マルチ画面１０Ａに映像を表示する。当該映像は、例えば、文字、図形等を示す。
【００２８】
画面１０は、画素としての複数のＬＥＤ５で構成される。画面１０は、ｋ個の画素（ＬＥＤ５）が、１８０行３２０列の行列状に配置されることにより構成される。「ｋ」は、一例として、３２０×１８０の式で得られる値である。すなわち、画面１０は、３２０×１８０画素で構成される。
【００２９】
マルチ画面１０Ａは、ｍ個の画素（ＬＥＤ５）が、１０８０行１９２０列の行列状に配置されることにより構成される。「ｍ」は、１９２０×１０８０の式で得られる値である。すなわち、マルチ画面１０Ａは、１９２０×１０８０画素で構成される。したがって、マルチ画面１０Ａは、フルＨＤ画像を表示することができる。
【００３０】
表示制御装置２００は、各表示装置１００に映像信号を配信したり、表示装置１００と制御信号を送受信することによって、全表示装置配列体５００のマルチ画面１０Ａに映像を表示させる機能を有するコントロールユニットである。
【００３１】
次に、表示装置１００の構成について説明する。図３は、本発明の実施の形態１に係る表示装置１００の構成を示すブロック図である。以下においては、表示装置１００の順序番号ｎが２以上の自然数であるとして、説明する。
【００３２】
図３に示すように、表示装置１００は、入力端子２、映像信号処理回路３、駆動部４、表示部５０、端子６、マイコン７、記憶部８および通信部９を備える。
【００３３】
表示部５０は、前述の画面１０を有する。画面１０を構成する各ＬＥＤ５は、サブ画素としてのＬＥＤ５ｓｒ，５ｓｇ，５ｓｂを含む。以下においては、赤、緑および青の各々を、「基準色」ともいう。また、以下においては、赤、緑および青を、それぞれ、Ｒ、ＧおよびＢともいう。また、以下においては、赤色光、緑色光および青色光を、それぞれ、Ｒ光、Ｇ光およびＢ光ともいう。ＬＥＤ５ｓｒ，５ｓｇ，５ｓｂは、それぞれ、Ｒ光、Ｇ光、Ｂ光を射出する。また、以下においては、Ｒ光の輝度、Ｇ光の輝度、および、Ｂ光の輝度を、それぞれ、Ｒ輝度、Ｇ輝度、および、Ｂ輝度ともいう。すなわち、Ｒ輝度は、ＬＥＤ５ｓｒの輝度である。また、Ｇ輝度は、ＬＥＤ５ｓｇの輝度である。また、Ｂ輝度は、ＬＥＤ５ｓｂの輝度である。
【００３４】
以下においては、ＬＥＤ５ｓｒ，５ｓｇ，５ｓｂの各々を、「ＬＥＤ５ｓ」ともいう。すなわち、画面１０は、（ｋ×３）個のＬＥＤ５ｓで構成される。また、マルチ画面１０Ａは、ｓ個のＬＥＤ５ｓで構成される。「ｓ」は、１９２０×１０８０×３の式で得られる値である。
【００３５】
ＬＥＤ５は、ＬＥＤ５ｓｒ，５ｓｇ，５ｓｂが射出する赤色光、緑色光および青色光が合成された光（以下、「合成光」ともいう）を射出する。以下においては、ＬＥＤ５が射出する合成光の輝度を、「ＬＥＤ５の輝度」ともいう。
【００３６】
また、以下においては、マルチ画面１０Ａ全体に表示するための映像を、「映像Ｉｍ」ともいう。映像Ｉｍは、Ｒ画像、Ｇ画像およびＢ画像により表現される。Ｒ画像、Ｇ画像およびＢ画像の各々の解像度は、同じである。Ｒ画像は、映像Ｉｍに含まれる赤成分の画像である。Ｇ画像は、映像Ｉｍに含まれる緑成分の画像である。Ｂ画像は、映像Ｉｍに含まれる青成分の画像である。
【００３７】
入力端子２は、順序番号（ｎ−１）の表示装置１００、または、表示制御装置２００から映像信号を受信する。当該映像信号は、マルチ画面１０Ａに表示するための映像Ｉｍを示す映像データを含む信号である。
【００３８】
映像信号処理回路３は、入力端子２で受信した映像信号に対して選択処理を行う。選択処理では、映像信号処理回路３が、映像信号に含まれる映像Ｉｍのうち、当該映像信号処理回路３に対応する１つの表示部５０が表示するための映像領域を選択する。以下においては、映像Ｉｍのうち、選択処理により選択された映像領域を、「部分映像」ともいう。部分映像は、マルチ画面１０Ａ全体に表示される映像の一部である。例えば、ＩＤが６である表示装置１００の部分映像は、図２の「ＩＤ＝６」を示す四角内に表示するための映像である。以下においては、部分映像を示す映像信号を、「部分映像信号」ともいう。
【００３９】
駆動部４は、部分映像信号に基づいて、部分映像が表示部５０（画面１０）に表示されるように、表示部５０を駆動させる。なお、駆動部４は、ＰＷＭ（Ｐｕｌｓｅ Ｗｉｄｔｈ Ｍｏｄｕｌａｔｉｏｎ）方式により、表示部５０を駆動させる。これにより、表示部５０に含まれる各ＬＥＤ５のＬＥＤ５ｓｒ，５ｓｇ，５ｓｂの輝度が制御される。その結果、表示部５０（画面１０）に部分映像が表示される。
【００４０】
端子６は、順序番号（ｎ−１）の表示装置１００、または、表示制御装置２００から制御信号を受信する。なお、制御信号は、輝度補正係数などの制御データを含む信号である。
【００４１】
通信部９は、端子６を介して、表示制御装置２００と通信可能に構成されている。通信部９は、表示制御装置２００から受信した制御信号をマイコン７へ送信する。また、通信部９は、マイコン７から受信した制御信号を表示制御装置２００へ送信する。
【００４２】
以下においては、ＬＥＤ５ｓ（ＬＥＤ５）の輝度の補正に使用するための係数を、「輝度補正係数」ともいう。すなわち、輝度補正係数は、ＬＥＤ５ｓ（ＬＥＤ５）の輝度を補正するために使用される係数である。また、以下においては、表示装置１００毎に、個別に算出された輝度補正係数を、「個別輝度補正係数」ともいう。個別輝度補正係数は、表示装置１００における輝度ばらつき、および、色度ばらつきを抑制するための係数である。以下においては、輝度補正係数により補正された、各ＬＥＤ５ｓの輝度を、「補正輝度」ともいう。
【００４３】
記憶部８は、データ等を記憶するメモリである。記憶部８は、各種パラメータを記憶している。例えば、記憶部８は、パラメータとして、複数の個別輝度補正係数、複数の補正輝度、その他の必要な設定値および調整値等を記憶している。
【００４４】
また、記憶部８は、当該記憶部８を含む表示装置１００の個別情報を記憶している。個別情報は、当該表示装置１００を識別するための固有の情報である。具体的には、個別情報は、全表示装置配列体５００を構成する複数の表示装置１００の各々を識別するための情報である。全表示装置配列体５００を構成する複数の表示装置１００は、それぞれ、複数の個別情報に対応する。
【００４５】
個別情報は、例えば、シリアル番号である。全表示装置配列体５００に含まれる各表示装置１００の個別情報は、異なるシリアル番号を示す。なお、個別情報は、シリアル番号に限定されず、表示装置１００を識別するための固有の情報であれば、他の情報であってもよい。
【００４６】
マイコン７は、表示装置１００の各構成要素を統括的に制御する。マイコン７は、映像信号処理回路３の制御、駆動部４の制御、通信部９の制御、および、記憶部８に対するデータアクセス等を行う。
【００４７】
前述したように、記憶部８には、複数の個別輝度補正係数と、複数の補正輝度とが記憶されている。各個別輝度補正係数および各補正輝度は、表示装置１００毎に、当該表示装置１００の表示部５０が表示する部分映像の輝度および色度を均一にするための値を示す。
【００４８】
これを実現するために、各個別輝度補正係数および各補正輝度には、製品としての表示システム１０００が工場から出荷される前に、調整工程において作業者が予め調整した値が設定されている。調整工程では、例えば、作業者が、表示部５０に含まれる各画素（ＬＥＤ５）における、Ｒ輝度、Ｇ輝度およびＢ輝度の計測および補正を行うことにより、各個別輝度補正係数の値、各補正輝度の値が調整される。
【００４９】
なお、全表示装置配列体５００に含まれる各表示装置１００の記憶部８は、当該表示装置１００に対し、個別に調整された、各個別輝度補正係数および各補正輝度を記憶している。
【００５０】
以下においては、画面１０における水平方向の画素の位置を、「位置ｕｈ」または「ｕｈ」ともいう。「ｕｈ」には、０から３１９の値が設定される。また、以下においては、画面１０における垂直方向の画素の位置を、「位置ｕｖ」または「ｕｖ」ともいう。「ｕｖ」には、０から１７９の値が設定される。また、以下においては、各表示装置１００の画面１０における画素の座標（位置）を、「座標Ｐｕ（ｕｈ，ｕｖ）」、「座標Ｐｕ」または「（ｕｈ，ｕｖ）」と表現する。
【００５１】
また、以下においては、各表示装置１００の画面１０において、座標Ｐｕ（ｕｈ，ｕｖ）で特定される画素（ＬＥＤ５）における補正前のＲ輝度、Ｇ輝度、Ｂ輝度を、それぞれ、Ｙｒ（ｕｈ，ｕｖ），Ｙｇ（ｕｈ，ｕｖ），Ｙｂ（ｕｈ，ｕｖ）と表現する。当該補正前のＲ輝度、Ｇ輝度、Ｂ輝度は、それぞれ、最大階調状態の各ＬＥＤ５のＲ輝度、Ｇ輝度、Ｂ輝度である。最大階調状態とは、ＬＥＤ５が、合成光として、白色光を射出している状態である。
【００５２】
また、以下においては、各表示装置１００における、補正前のＲ輝度、Ｇ輝度およびＢ輝度の最小値を、それぞれ、Ｙｒ＿ｍｉｎ、Ｙｇ＿ｍｉｎおよびＹｂ＿ｍｉｎと表現する。また、以下においては、座標Ｐｕ（ｕｈ，ｕｖ）に存在するＬＥＤ５を、「座標Ｐｕ対応ＬＥＤ」ともいう。
【００５３】
以下においては、座標Ｐｕ対応ＬＥＤのＲ輝度を補正するための個別輝度補正係数を、「個別輝度補正係数Ｃｒ」または「Ｃｒ」ともいう。また、以下においては、座標Ｐｕ対応ＬＥＤのＧ輝度を補正するための個別輝度補正係数を、「個別輝度補正係数Ｃｇ」または「Ｃｇ」ともいう。また、以下においては、座標Ｐｕ対応ＬＥＤのＢ輝度を補正するための個別輝度補正係数を、「個別輝度補正係数Ｃｂ」または「Ｃｂ」ともいう。
【００５４】
以下においては、Ｒのベタ画像を、「ベタ画像Ｂｒ」ともいう。また、以下においては、Ｇのベタ画像を、「ベタ画像Ｂｇ」ともいう。また、以下においては、Ｂのベタ画像を、「ベタ画像Ｂｂ」ともいう。また、以下においては、白のベタ画像を、「ベタ画像Ｂｗ」ともいう。また、ベタ画像Ｂｗは、ベタ画像Ｂｒ，Ｂｇ，Ｂｂにより表現される。以下においては、画面１０全体にベタ画像Ｂｗが表示されている状態を、「ベタ画像表示状態」ともいう。
【００５５】
個別輝度補正係数Ｃｒ，Ｃｇ，Ｃｂは、各表示装置１００において、各ＬＥＤ５の輝度を均一にするための係数である。具体的には、個別輝度補正係数Ｃｒ，Ｃｇ，Ｃｂは、ベタ画像表示状態の各表示装置１００において、ベタ画像Ｂｗを表現する各ＬＥＤ５の輝度を、同じにするための係数である。
【００５６】
また、以下においては、座標Ｐｕ（ｕｈ，ｕｖ）により特定される画素（ＬＥＤ５）の個別輝度補正係数Ｃｒ，Ｃｇ，Ｃｂを、それぞれ、Ｃｒ（ｕｈ，ｕｖ），Ｃｇ（ｕｈ，ｕｖ），Ｃｂ（ｕｈ，ｕｖ）と表現する。個別輝度補正係数Ｃｒ（ｕｈ，ｕｖ），Ｃｇ（ｕｈ，ｕｖ），Ｃｂ（ｕｈ，ｕｖ）は、以下の式１で示される。
【００５７】
【数１】
2019092774.tif 000003
【００５８】
なお、各表示装置１００が、個別輝度補正係数Ｃｒ，Ｃｇ，Ｃｂを使用して、各ＬＥＤ５の輝度（Ｒ輝度、Ｇ輝度、Ｂ輝度）を補正した場合、当該各ＬＥＤ５の補正輝度としてのＲ輝度、Ｇ輝度およびＢ輝度は、それぞれ、Ｙｒ＿ｍｉｎ、Ｙｇ＿ｍｉｎおよびＹｂ＿ｍｉｎとなる。この結果、輝度が高いＬＥＤ５のＲ輝度、Ｇ輝度およびＢ輝度は低下することになる。
【００５９】
本実施の形態１では、上記のような、画面１０における各画素の個別輝度補正係数Ｃｒ（ｕｈ，ｕｖ），Ｃｇ（ｕｈ，ｕｖ），Ｃｂ（ｕｈ，ｕｖ）および補正輝度Ｙｒ＿ｍｉｎ，Ｙｇ＿ｍｉｎ，Ｙｂ＿ｍｉｎが、記憶部８に予め記憶されている。マイコン７の制御により、通信部９は、記憶部８に記憶された、各個別輝度補正係数および各補正輝度を表示制御装置２００へ送信する。
【００６０】
図４は、本発明の実施の形態１に係る表示制御装置２００の構成を示すブロック図である。図４に示すように、表示制御装置２００は、入力端子３０、映像信号処理回路１１、輝度補正部１２、制御回路１３、映像信号分割転送部１４，１５，１６、映像出力端子１７，１８，１９、外部制御端子２０、および、制御端子２１，２２，２３を備える。
【００６１】
入力端子３０は、外部から映像信号を受信する。
【００６２】
映像信号処理回路１１は、入力端子３０が受信した映像信号に、ガンマ補正などの画像処理を行う。輝度補正部１２は、映像信号処理回路１１で処理された映像信号の輝度を補正する。
【００６３】
映像信号分割転送部１４，１５，１６は、映像出力端子１７，１８，１９を介して、表示装置群Ｇ１，Ｇ２，Ｇ３の１番目表示装置の入力端子２（図３）とそれぞれ接続されている。映像信号分割転送部１４，１５，１６は、輝度補正部１２で補正された映像信号を、表示装置群Ｇ１，Ｇ２，Ｇ３でそれぞれ表示するための３つの映像信号に分割する。そして、映像信号分割転送部１４，１５，１６は、分割された３つの映像信号を、それぞれ、表示装置群Ｇ１，Ｇ２，Ｇ３の１番目表示装置へ送信する。
【００６４】
外部制御端子２０は、外部ＰＣ（Personal Computer）などから、表示制御装置２００および表示装置１００を制御するための制御信号を受け取る。
【００６５】
制御回路１３は、例えば、ＣＰＵ（Central Processing Unit）である。制御回路１３は、制御端子２１，２２，２３を介して、表示装置群Ｇ１，Ｇ２，Ｇ３の１番目表示装置の端子６（図３）とそれぞれ接続されている。これにより、制御回路１３は、全表示装置配列体５００へ制御信号を送信したり、全表示装置配列体５００から制御信号を受信することによって、全表示装置配列体５００を制御することができる。
【００６６】
また、制御回路１３は、外部制御端子２０で受信した制御信号と、全表示装置配列体５００から送信された制御信号とに基づいて、輝度補正部１２における映像信号の補正を制御することが可能となっている。
【００６７】
図４の制御回路１３は、点灯時間記憶部２４、補正係数演算部２５、外部制御通信部２６、内部間通信制御部２７、および、パラメータ記憶部２８を備える。補正係数演算部２５、外部制御通信部２６および内部間通信制御部２７の全て又は一部は、ＬＳＩ（Large Scale Integration）等のハードウエアで構成されてもよい。また、補正係数演算部２５、外部制御通信部２６および内部間通信制御部２７の全て又は一部は、ＣＰＵ等のプロセッサにより実行される、プログラムのモジュールであってもよい。
【００６８】
表示制御装置２００（点灯時間記憶部２４）は、図１の全表示装置配列体５００のマルチ画面１０Ａを構成するｓ個のＬＥＤ５ｓの各々の点灯時間を累積した累積点灯時間を管理している。「ｓ」は、２以上の整数である。「ｓ」は、１９２０×１０８０×３の式で得られる値である。
【００６９】
すなわち、点灯時間記憶部２４は、全表示装置配列体５００のマルチ画面１０Ａを構成するｓ個のＬＥＤ５ｓの累積点灯時間を記憶している。つまり、表示制御装置２００は、全表示装置配列体５００に含まれる各表示装置１００の複数のＬＥＤ５ｓの各々の点灯時間を累積した累積点灯時間を管理している。
【００７０】
外部制御通信部２６は、外部制御端子２０で受信した制御信号に含まれるパラメータをパラメータ記憶部２８に記憶したり、内部間通信制御部２７へ送信したりする。また、外部制御通信部２６は、パラメータ記憶部２８に記憶されたパラメータ、および、内部間通信制御部２７から受信したパラメータを、外部制御端子２０を介して外部に送信する。
【００７１】
内部間通信制御部２７は、制御端子２１，２２，２３で受信した制御信号に含まれるパラメータをパラメータ記憶部２８に記憶したり、外部制御通信部２６へ送信したり、補正係数演算部２５へ送信したりする。また、内部間通信制御部２７は、パラメータ記憶部２８に記憶されたパラメータ、外部制御通信部２６から受信したパラメータ、補正係数演算部２５から受信したパラメータ等を、制御端子２１，２２，２３を介して全表示装置配列体５００に送信する。
【００７２】
以下においては、マルチ画面１０Ａにおける、表示装置１００の座標（位置）を、「座標Ｐｄ」ともいう。また、以下においては、画面１０における、１行１列目の画素を、「左上画素」ともいう。左上画素は、画面１０の左端の画素であって、かつ、画面１０の上端の画素である。すなわち、座標Ｐｄは、表示装置１００の画面１０における左上画素の座標である。
【００７３】
表示制御装置２００は、マルチ画面１０Ａにおける、複数の表示装置１００の座標Ｐｄを管理している。具体的には、表示制御装置２００のパラメータ記憶部２８は、全表示装置配列体５００を構成する複数の表示装置１００の各々の座標Ｐｄをさらに記憶している。
【００７４】
補正係数演算部２５は、詳細は後述するが、各種の補正係数を算出する算出部である。
【００７５】
次に、初期設置時（初期調整時）において、表示システム１０００が行う処理（以下、「初期調整処理」ともいう）について説明する。初期調整処理では、まず、表示制御装置２００が、個別に、表示装置１００を制御するために、当該表示制御装置２００が各表示装置１００にＩＤを設定する。ＩＤを設定する処理は、周知な処理であるので説明は省略する。これにより、図１のように、３６台の表示装置１００に、１から３６のＩＤが設定される。
【００７６】
次に、表示制御装置２００に対して、各表示装置１００のＩＤと表示装置１００（左上画素）の座標Ｐｄとを関連付ける設定が行われる。以下においては、マルチ画面１０Ａにおける水平方向の画素の位置を、「位置ｈ」または「ｈ」ともいう。「ｈ」には、０から１９１９の値が設定される。また、以下においては、マルチ画面１０Ａにおける垂直方向の画素の位置を、「位置ｖ」または「ｖ」ともいう。「ｖ」には、０から１０７９の値が設定される。また、以下においては、マルチ画面１０Ａにおける画素の座標（位置）を、「座標（ｈ，ｖ）」または「（ｈ，ｖ）」と表現する。
【００７７】
ここで、各表示装置１００の画面１０の水平画素サイズをｈｓｉｚｅ（＝３２０）と表現し、当該画面１０の垂直画素サイズをｖｓｉｚｅ（＝１８０）と表現する。以下においては、ＩＤ（ＩＤ番号）を、「＊」と表現する。また、以下においては、ＩＤが「＊」である表示装置１００の座標Ｐｄ（左上画素の座標）を、「ＩＤ＊（ｈ，ｖ）」と表現する。ＩＤ＊（ｈ，ｖ）は、ＩＤと表示装置１００の座標Ｐｄ（左上画素の座標）とを関連付けたもの（以下、「ＩＤ対応座標」ともいう）である。この場合、ＩＤ対応座標であるＩＤ＊（ｈ，ｖ）は、下記のように表現される。
【００７８】
ＩＤ１（０，０），ＩＤ２（０，ｖｓｉｚｅ），ＩＤ３（０，２×ｖｓｉｚｅ），…，ＩＤ６（０，５×ｖｓｉｚｅ），
ＩＤ７（ｈｓｉｚｅ，０），ＩＤ８（ｈｓｉｚｅ，ｖｓｉｚｅ），ＩＤ９（ｈｓｉｚｅ，２×ｖｓｉｚｅ），…，ＩＤ１２（ｈｓｉｚｅ，５×ｖｓｉｚｅ），
ＩＤ１３（２×ｈｓｉｚｅ，０），ＩＤ１４（２×ｈｓｉｚｅ，ｖｓｉｚｅ），ＩＤ１５（２×ｈｓｉｚｅ，２×ｖｓｉｚｅ），…，ＩＤ１８（２×ｈｓｉｚｅ，５×ｖｓｉｚｅ），
ＩＤ１９（３×ｈｓｉｚｅ，０），ＩＤ２０（３×ｈｓｉｚｅ，ｖｓｉｚｅ），ＩＤ２１（３×ｈｓｉｚｅ，２×ｖｓｉｚｅ），…，ＩＤ２４（３×ｈｓｉｚｅ，５×ｖｓｉｚｅ），
ＩＤ２５（４×ｈｓｉｚｅ，０），ＩＤ２６（４×ｈｓｉｚｅ，ｖｓｉｚｅ），ＩＤ２７（４×ｈｓｉｚｅ，２×ｖｓｉｚｅ），…，ＩＤ３０（４×ｈｓｉｚｅ，５×ｖｓｉｚｅ），
ＩＤ３１（５×ｈｓｉｚｅ，０），ＩＤ３２（５×ｈｓｉｚｅ，ｖｓｉｚｅ），ＩＤ３３（５×ｈｓｉｚｅ，２×ｖｓｉｚｅ），…，ＩＤ３６（５×ｈｓｉｚｅ，５×ｖｓｉｚｅ）
以上、各表示装置１００のＩＤ（ＩＤ番号）の設定と、表示制御装置２００に対して、各表示装置１００のＩＤと表示装置１００の座標Ｐｄ（左上画素の座標）とを関連付ける設定とについて説明した。
【００７９】
次に、個別情報取得処理が行われる。個別情報取得処理では、表示制御装置２００が、全表示装置配列体５００に対し、各表示装置１００の個別情報を取得するための個別情報要求指示を送信する。全表示装置配列体５００は、個別情報要求指示に従って、個別情報データを、表示制御装置２００へ送信する。個別情報データは、各表示装置１００のＩＤ（ＩＤ番号）と当該表示装置１００の個別情報とを関連づけて示すデータである。
【００８０】
表示制御装置２００が個別情報データを受信すると、パラメータ記憶部２８は、各表示装置１００のＩＤ対応座標および個別情報を互いに関連付けて、記憶する。パラメータ記憶部２８は、例えば、ＩＤが２である表示装置１００の個別情報と、ＩＤ対応座標であるＩＤ２（０，ｖｓｉｚｅ）とを関連付けて、記憶する。すなわち、表示制御装置２００は、複数の表示装置１００に対応する複数の個別情報を管理する。
【００８１】
次に、係数輝度取得処理が行われる。係数輝度取得処理では、表示制御装置２００が、全表示装置配列体５００に対し、各表示装置１００の個別輝度補正係数および補正輝度を取得するための係数輝度要求指示を送信する。全表示装置配列体５００が係数輝度要求指示を受信すると、各表示装置１００は、当該表示装置１００の各画素に対応する各基準色の個別輝度補正係数および補正輝度を表示制御装置２００へ送信する。これにより、表示制御装置２００は、各表示装置１００の各画素に対応する各基準色のの個別輝度補正係数および補正輝度を取得する。すなわち、表示制御装置２００は、複数の個別輝度補正係数と、複数の補正輝度を取得する。
【００８２】
次に、係数算出処理が行われる。係数算出処理では、表示制御装置２００の補正係数演算部２５が、取得した複数の補正輝度に基づいて補正係数を算出する。当該補正係数は、補正対象の映像データの補正に複数の補正輝度を反映させるための係数である。補正対象の映像データの補正とは、後述の輝度補正処理である。
【００８３】
そして、補正係数演算部２５は、取得した複数の個別輝度補正係数と、算出した当該複数の補正係数とに基づいて、各表示装置１００の初期調整時の初期輝度補正係数を算出する。すなわち、補正係数演算部２５は、マルチ画面１０Ａを構成するｍ個の画素の初期輝度補正係数を算出する。
【００８４】
以下においては、画素（ＬＥＤ５）のＲ，Ｇ，Ｂ成分の初期輝度補正係数を、「初期輝度補正係数Ｃｒ０，Ｃｇ０，Ｃｂ０」ともいう。また、以下においては、座標（ｈ，ｖ）により特定される画素（ＬＥＤ５）の初期輝度補正係数Ｃｒ０，Ｃｇ０，Ｃｂ０を、初期輝度補正係数Ｃｒ０（ｈ，ｖ），Ｃｇ０（ｈ，ｖ），Ｃｂ０（ｈ，ｖ）と表現する。
【００８５】
以下、初期輝度補正係数の算出方法について詳細に説明する。前述したように、ＩＤを、「＊」と表現する。ここで、表示制御装置２００が取得した各表示装置１００の個別輝度補正係数を、ＩＤ＊＿Ｃｒ（ｕｈ，ｕｖ），ＩＤ＊＿Ｃｇ（ｕｈ，ｕｖ），ＩＤ＊＿Ｃｂ（ｕｈ，ｕｖ）と表現する。また、表示制御装置２００が取得した各表示装置１００の補正輝度を、ＩＤ＊Ｙｒ＿ｍｉｎ，ＩＤ＊Ｙｇ＿ｍｉｎ，ＩＤ＊Ｙｂ＿ｍｉｎと表現する。
【００８６】
以下においては、全表示装置配列体５００を構成する全ての表示装置１００における複数の補正輝度の最小値を、「最小補正輝度」ともいう。また、最小補正輝度を、Ｕｎｉｔ＿Ｙｒ＿ｍｉｎ，Ｕｎｉｔ＿Ｙｇ＿ｍｉｎ，Ｕｎｉｔ＿Ｙｂ＿ｍｉｎと表現する。
【００８７】
この場合、ｍ個の画素の初期輝度補正係数Ｃｒ０（ｈ，ｖ），Ｃｇ０（ｈ，ｖ），Ｃｂ０（ｈ，ｖ）は、下記の式で示される。
［１］ｈ＝０〜３１９，ｖ＝０〜１７９の初期輝度補正係数
Ｃｒ０（ｈ，ｖ）＝ＩＤ１＿Ｃｒ（ｈ，ｖ）×Ｕｎｉｔ＿Ｙｒ＿ｍｉｎ／ＩＤ１＿Ｙｒ＿ｍｉｎ
Ｃｇ０（ｈ，ｖ）＝ＩＤ１＿Ｃｇ（ｈ，ｖ）×Ｕｎｉｔ＿Ｙｇ＿ｍｉｎ／ＩＤ１＿Ｙｇ＿ｍｉｎ
Ｃｂ０（ｈ，ｖ）＝ＩＤ１＿Ｃｂ（ｈ，ｖ）×Ｕｎｉｔ＿Ｙｂ＿ｍｉｎ／ＩＤ１＿Ｙｂ＿ｍｉｎ
［２］ｈ＝０〜３１９，ｖ＝１８０〜３５９の初期輝度補正係数
Ｃｒ０（ｈ，ｖ）＝ＩＤ２＿Ｃｒ（ｈ，ｖ−ｖｓｉｚｅ）×Ｕｎｉｔ＿Ｙｒ＿ｍｉｎ／ＩＤ２＿Ｙｒ＿ｍｉｎ
Ｃｇ０（ｈ，ｖ）＝ＩＤ２＿Ｃｇ（ｈ，ｖ−ｖｓｉｚｅ）×Ｕｎｉｔ＿Ｙｇ＿ｍｉｎ／ＩＤ２＿Ｙｇ＿ｍｉｎ
Ｃｂ０（ｈ，ｖ）＝ＩＤ２＿Ｃｂ（ｈ，ｖ−ｖｓｉｚｅ）×Ｕｎｉｔ＿Ｙｂ＿ｍｉｎ／ＩＤ２＿Ｙｂ＿ｍｉｎ
・・・
［６］ｈ＝０〜３１９，ｖ＝９００〜１０７９の初期輝度補正係数
Ｃｒ０（ｈ，ｖ）＝ＩＤ６＿Ｃｒ（ｈ，ｖ−５×ｖｓｉｚｅ）×Ｕｎｉｔ＿Ｙｒ＿ｍｉｎ／ＩＤ６＿Ｙｒ＿ｍｉｎ
Ｃｇ０（ｈ，ｖ）＝ＩＤ６＿Ｃｇ（ｈ，ｖ−５×ｖｓｉｚｅ）×Ｕｎｉｔ＿Ｙｇ＿ｍｉｎ／ＩＤ６＿Ｙｇ＿ｍｉｎ
Ｃｂ０（ｈ，ｖ）＝ＩＤ６＿Ｃｂ（ｈ，ｖ−５×ｖｓｉｚｅ）×Ｕｎｉｔ＿Ｙｂ＿ｍｉｎ／ＩＤ６＿Ｙｂ＿ｍｉｎ
［７］ｈ＝３２０〜６３９，ｖ＝０〜１７９の初期輝度補正係数
Ｃｒ０（ｈ，ｖ）＝ＩＤ７＿Ｃｒ（ｈ−ｈｓｉｚｅ，ｖ）×Ｕｎｉｔ＿Ｙｒ＿ｍｉｎ／ＩＤ７＿Ｙｒ＿ｍｉｎ
Ｃｇ０（ｈ，ｖ）＝ＩＤ７＿Ｃｇ（ｈ−ｈｓｉｚｅ，ｖ）×Ｕｎｉｔ＿Ｙｇ＿ｍｉｎ／ＩＤ７＿Ｙｇ＿ｍｉｎ
Ｃｂ０（ｈ，ｖ）＝ＩＤ７＿Ｃｂ（ｈ−ｈｓｉｚｅ，ｖ）×Ｕｎｉｔ＿Ｙｂ＿ｍｉｎ／ＩＤ７＿Ｙｂ＿ｍｉｎ
［８］ｈ＝３２０〜６３９，ｖ＝１８０〜３５９の初期輝度補正係数
Ｃｒ０（ｈ，ｖ）＝ＩＤ８＿Ｃｒ（ｈ−ｈｓｉｚｅ，ｖ−ｖｓｉｚｅ）×Ｕｎｉｔ＿Ｙｒ＿ｍｉｎ／ＩＤ８＿Ｙｒ＿ｍｉｎ
Ｃｇ０（ｈ，ｖ）＝ＩＤ８＿Ｃｇ（ｈ−ｈｓｉｚｅ，ｖ−ｖｓｉｚｅ）×Ｕｎｉｔ＿Ｙｇ＿ｍｉｎ／ＩＤ８＿Ｙｇ＿ｍｉｎ
Ｃｂ０（ｈ，ｖ）＝ＩＤ８＿Ｃｂ（ｈ−ｈｓｉｚｅ，ｖ−ｖｓｉｚｅ）×Ｕｎｉｔ＿Ｙｂ＿ｍｉｎ／ＩＤ８＿Ｙｂ＿ｍｉｎ
・・・
［１２］ｈ＝３２０〜６３９，ｖ＝９００〜１０７９の初期輝度補正係数
Ｃｒ０（ｈ，ｖ）＝ＩＤ１２＿Ｃｒ（ｈ−ｈｓｉｚｅ，ｖ−５×ｖｓｉｚｅ）×Ｕｎｉｔ＿Ｙｒ＿ｍｉｎ／ＩＤ１２＿Ｙｒ＿ｍｉｎ
Ｃｇ０（ｈ，ｖ）＝ＩＤ１２＿Ｃｇ（ｈ−ｈｓｉｚｅ，ｖ−５×ｖｓｉｚｅ）×Ｕｎｉｔ＿Ｙｇ＿ｍｉｎ／ＩＤ１２＿Ｙｇ＿ｍｉｎ
Ｃｂ０（ｈ，ｖ）＝ＩＤ１２＿Ｃｂ（ｈ−ｈｓｉｚｅ，ｖ−５×ｖｓｉｚｅ）×Ｕｎｉｔ＿Ｙｂ＿ｍｉｎ／ＩＤ１２＿Ｙｂ＿ｍｉｎ
・・・
［３６］ｈ＝１６００〜１９１９，ｖ＝９００〜１０７９の初期輝度補正係数
Ｃｒ０（ｈ，ｖ）＝ＩＤ３６＿Ｃｒ（ｈ−５×ｈｓｉｚｅ，ｖ−５×ｖｓｉｚｅ）×Ｕｎｉｔ＿Ｙｒ＿ｍｉｎ／ＩＤ３６＿Ｙｒ＿ｍｉｎ
Ｃｇ０（ｈ，ｖ）＝ＩＤ３６＿Ｃｇ（ｈ−５×ｈｓｉｚｅ，ｖ−５×ｖｓｉｚｅ）×Ｕｎｉｔ＿Ｙｇ＿ｍｉｎ／ＩＤ３６＿Ｙｇ＿ｍｉｎ
Ｃｂ０（ｈ，ｖ）＝ＩＤ３６＿Ｃｂ（ｈ−５×ｈｓｉｚｅ，ｖ−５×ｖｓｉｚｅ）×Ｕｎｉｔ＿Ｙｂ＿ｍｉｎ／ＩＤ３６＿Ｙｂ＿ｍｉｎ
なお、上記の式において、Ｕｎｉｔ＿Ｙｒ＿ｍｉｎ／ＩＤ＊＿Ｙｒ＿ｍｉｎ，Ｕｎｉｔ＿Ｙｇ＿ｍｉｎ／ＩＤ＊＿Ｙｇ＿ｍｉｎ，Ｕｎｉｔ＿Ｙｂ＿ｍｉｎ／ＩＤ＊＿Ｙｂ＿ｍｉｎは、上述した補正係数に相当する。
【００８８】
ここで、一例として、ＩＤが１である表示装置１００に対する、Ｒ成分の初期輝度補正係数の算出方法について説明する。ここで、ｈ＝０〜３１９，ｖ＝０〜１７９であると仮定する。なお、ＩＤが１である表示装置１００の補正輝度Ｙｒ＿ｍｉｎは、補正輝度ＩＤ１＿Ｙｒ＿ｍｉｎと表現される。また、ＩＤが１である表示装置１００のＲ成分の個別輝度補正係数Ｃｒ（ｕｈ，ｕｖ）は、個別輝度補正係数ＩＤ１＿Ｃｒ（ｈ，ｖ）と表現される。
【００８９】
まず、補正係数演算部２５が、取得したｍ個の補正輝度Ｙｒ＿ｍｉｎのうち、最小値を示す補正輝度Ｙｒ＿ｍｉｎを、Ｒ成分の最小補正輝度Ｕｎｉｔ＿Ｙｒ＿ｍｉｎとして算出する。
【００９０】
そして、補正係数演算部２５は、最小補正輝度Ｕｎｉｔ＿Ｙｒ＿ｍｉｎおよび補正輝度ＩＤ１＿Ｙｒ＿ｍｉｎを使用して、Ｕｎｉｔ＿Ｙｒ＿ｍｉｎ／ＩＤ１＿Ｙｒ＿ｍｉｎの式より、Ｒ成分（ＬＥＤ５ｓｒ）の補正係数を算出する。すなわち、当該補正係数は、ｍ個の補正輝度Ｙｒ＿ｍｉｎを使用して得られた最小補正輝度Ｕｎｉｔ＿Ｙｒ＿ｍｉｎにより算出される。つまり、補正係数は、ｍ個の補正輝度Ｙｒ＿ｍｉｎに基づいて算出される。
【００９１】
そして、補正係数演算部２５は、個別輝度補正係数ＩＤ１＿Ｃｒ（ｈ，ｖ）に、算出したＲ成分の補正係数を乗じることにより、Ｒ成分（ＬＥＤ５ｓｒ）の初期輝度補正係数Ｃｒ０（ｈ，ｖ）を算出する。
【００９２】
補正係数演算部２５は、上記の式のように、個別輝度補正係数に補正係数を乗じることによって初期輝度補正係数を算出する。そして、補正係数演算部２５は、算出した初期輝度補正係数をパラメータ記憶部２８に記憶させる。当該初期輝度補正係数は、輝度ばらつきおよび色度ばらつきが抑制された映像を得るための係数である。
【００９３】
以下においては、全ての表示装置１００について総合的に算出される係数であって、複数の表示装置１００間の輝度ばらつきおよび色度ばらつきが抑制された映像を得るための係数を、「総合輝度補正係数」ともいう。
【００９４】
次に、輝度補正処理が行われる。初期調整時における輝度補正処理では、表示制御装置２００の輝度補正部１２が、初期輝度補正係数を、総合輝度補正係数として使用して、補正対象の映像データを補正する。なお、初期輝度補正係数は、個別輝度補正係数および補正係数により算出される。すなわち、表示制御装置２００の輝度補正部１２は、個別輝度補正係数と、補正係数とに基づいて、補正対象の映像データを補正する。補正対象の映像データは、映像信号処理回路１１で処理された映像信号に含まれる映像データ（映像Ｉｍ）である。映像データの補正は、映像データの輝度（階調値）に総合輝度補正係数を乗じることによって行われる。
【００９５】
具体的には、輝度補正処理では、輝度補正部１２が、例えば、映像ＩｍのＲ画像を構成するｍ個の画素の階調値（画素値）に対し、それぞれ、Ｒ成分のｍ個の初期輝度補正係数（総合輝度補正係数）を乗算する。これにより、補正後のＲ画像が得られる。このような処理が、Ｒ画像、Ｇ画像、Ｂ画像に対し行われることにより、補正された映像データ（Ｒ画像、Ｇ画像、Ｂ画像）が得られる。
【００９６】
以下においては、輝度補正処理により得られた映像データを、「補正済映像データ」または「補正済映像信号」ともいう。補正済映像データは、輝度補正部１２により補正された補正対象の映像データである。
【００９７】
ここで、各表示装置１００では、当該各表示装置１００の複数のＬＥＤ５の輝度が均一になるように、個別輝度補正係数によって輝度が調整されている。このため、表示制御装置２００が、初期輝度補正係数を用いた補正を行なえば、初期調整時の最小補正輝度を、全ての表示装置１００の輝度の基準に設定することができる。このため、初期輝度補正係数が、総合輝度補正係数として用いられても、複数の表示装置１００間の輝度ばらつきおよび色度ばらつきを抑制する補正を行うことができる。
【００９８】
輝度補正処理の後、表示制御装置２００は、補正済映像信号（補正済映像データ）を、映像出力端子１７，１８，１９等を介して全表示装置配列体５００へ送信する。そして、表示制御処理が行われる。表示制御処理では、各表示装置１００の駆動部４が、受信した補正済映像信号（補正済映像データ）に基づいて、複数のＬＥＤ５ｓ（ＬＥＤ５）を駆動させる。
【００９９】
なお、補正済映像信号（補正済映像データ）は、個別輝度補正係数および補正係数により算出された初期輝度補正係数（総合輝度補正係数）に基づいて、補正対象の映像データ（映像Ｉｍ）が補正されることにより得られる。すなわち、表示制御処理では、各表示装置１００の駆動部４は、個別輝度補正係数と補正係数とに基づき補正された補正対象の映像データに基づいて、複数のＬＥＤ５ｓ（ＬＥＤ５）を駆動させる。表示制御処理が終了した場合、上記の初期調整処理も終了する。
【０１００】
本実施の形態１では、各表示装置１００内の駆動部４が、映像データ値（階調値）に基づいて、複数のＬＥＤ５ｓ（ＬＥＤ５）をＰＷＭ方式で駆動することにより、複数のＬＥＤ５ｓ（ＬＥＤ５）の輝度が制御される。これにより、マルチ画面１０Ａに、補正済映像データに基づく映像が表示される。なお、ＰＷＭ方式は、周知な技術であるため、以下、簡単に説明する。
【０１０１】
図５は、ＰＷＭ方式の駆動の一例を示す図である。図５には、ＰＷＭの基本周期が、映像信号の１フレーム期間以下の期間である状態が示されている。また、図５のパルス幅１には、パルス幅のデューティ比が、例えば、８５％である状態が示されている。図５のパルス幅２には、パルス幅のデューティ比が例えば８０％である状態が示されている。
【０１０２】
このように、駆動部４が、パルス幅のデューティ比、つまりＬＥＤ５の各ＬＥＤ５ｓについて単位時間当たりの点灯期間および消灯期間を変える。これにより、人の目から見たＬＥＤ５の各ＬＥＤ５ｓの輝度を調整することができる。
【０１０３】
なお、輝度の補正においても、駆動部４がパルス幅のデューティ比を変更することで輝度調整が可能である。この場合、輝度補正部１２が輝度値を変更することによって、ＬＥＤ５ごとにパルス幅のデューティ比、つまり単位時間当たりの点灯期間および消灯期間が変更され、その結果、ＬＥＤ５の輝度がＬＥＤ５ごとに異なるように調整される。
【０１０４】
図６は、ＬＥＤ５内の緑（Ｇ）のＬＥＤ５ｓｇについて、累積点灯時間と、輝度に対応する輝度維持率との関係を示した図である。図６に示されるように、ＬＥＤ５ｓｇの輝度維持率は累積点灯時間が長くなる程、低下する。図６は、緑（Ｇ）のＬＥＤ５ｓｇの輝度維持率を示しているが、赤（Ｒ）のＬＥＤ５ｓｒ、青（Ｂ）のＬＥＤ５ｓｂの輝度も同様に、累積点灯時間が長くなる程、低下する（図示せず）。
【０１０５】
以下においては、累積点灯時間が０であるＬＥＤの最大輝度を、「初期輝度Ｙ０」ともいう。最大輝度とは、当該ＬＥＤが表現可能な最大の輝度である。輝度維持率は、初期輝度Ｙ０に対する、累積点灯時間が０より大きい状態のＬＥＤの最大輝度の割合に相当する。以下においては、ＬＥＤ５ｓｒの輝度維持率を、「Ｒ輝度維持率」ともいう。また、以下においては、ＬＥＤ５ｓｇの輝度維持率を、「Ｇ輝度維持率」ともいう。また、以下においては、ＬＥＤ５ｓｂの輝度維持率を、「Ｂ輝度維持率」ともいう。
【０１０６】
図６のように、ＬＥＤ５ｓの輝度は、累積点灯時間が長くなる程、低下する。このことに鑑み、本実施の形態１では、累積点灯時間に基づいて各ＬＥＤ５ｓ（ＬＥＤ５）の輝度補正を行う。
【０１０７】
まず、ＬＥＤ５の特性と同等の特性を有するＬＥＤ５の各ＬＥＤ５ｓの累積点灯時間および輝度が、作業者により、事前に測定される。その後、測定結果に基づいて、図７のようなテーブルＴｂ１が事前に作成される。テーブルＴｂ１は、パラメータ記憶部２８に事前に記憶される。なお、輝度維持率は、テーブルＴｂ１の代わりに、累積点灯時間に対する輝度維持率を算出するための近似式を使用して算出されてもよい。
【０１０８】
全表示装置配列体５００の全てのＬＥＤ５の各ＬＥＤ５ｓの累積点灯時間が、一定の単位時間の経過ごとに、図４の表示制御装置２００の点灯時間記憶部２４に、記憶される。ここで、単位時間が１時間であり、かつ、ＬＥＤ５ｓの駆動のためのパルス幅のデューティ比が１０％であると仮定する。この場合、点灯時間記憶部２４に記憶されている累積点灯時間に対し、１時間経過ごとに、０．１時間の点灯時間が加算される。本実施の形態１では、累積点灯時間は、図４の輝度補正部１２から出力される映像データに基づいて算出される。
【０１０９】
ここで、仮に、映像データが示す映像における特定の画素のＲ（赤）の階調値が、デューティ比１０％に対応する値であるとする。この場合、当該特定の画素のＲ（ＬＥＤ５ｓｒ）に対応する累積点灯時間に、０．１時間が加算される。
【０１１０】
なお、累積点灯時間の算出方法は、映像データを利用した方法に限定されない。例えば、各表示装置１００が、当該表示装置１００に含まれる各ＬＥＤ５ｓの累積点等時間を管理しており、所定時間経過毎に、各表示装置１００が、管理している全ての累積点等時間を、表示制御装置２００へ送信してもよい。
【０１１１】
補正係数演算部２５は、各表示装置１００に含まれる複数のＬＥＤ５ｓの累積点灯時間に基づいて、当該複数のＬＥＤ５ｓの各々の輝度維持率を算出する。具体的には、補正係数演算部２５は、点灯時間記憶部２４に記憶されている、全てのＬＥＤ５ｓの累積点灯時間と、テーブルＴｂ１とに基づいて、各ＬＥＤ５ｓの輝度維持率を算出する。なお、輝度維持率の算出には、テーブルＴｂ１の代わりに前述の近似式が使用されてもよい。
【０１１２】
以下においては、Ｒ輝度維持率、Ｇ輝度維持率、Ｂ輝度維持率を、それぞれ、輝度維持率Ｐｒ，Ｐｇ，Ｐｂともいう。また、以下においては、座標（ｈ，ｖ）により特定される画素（ＬＥＤ５）の輝度維持率Ｐｒ，Ｐｇ，Ｐｂを、それぞれ、Ｐｒ（ｈ，ｖ），Ｐｇ（ｈ，ｖ），Ｐｂ（ｈ，ｖ）と表現する。
【０１１３】
以下においては、ＬＥＤの累積点灯時間が、０より大きい状態における当該ＬＥＤの実際の輝度を、「実際輝度Ｙ１」ともいう。また、以下においては、初期輝度Ｙ０に対する、実際輝度Ｙ１の割合（相対値）を、「実際輝度相対値」ともいう。実際輝度相対値は、ＬＥＤの実際の輝度を示す指標となる値である。
【０１１４】
以下においては、ＬＥＤ５ｓｒの実際輝度相対値を、「Ｑｒ」ともいう。また、以下においては、ＬＥＤ５ｓｇの実際輝度相対値を、「Ｑｇ」ともいう。また、以下においては、ＬＥＤ５ｓｂの実際輝度相対値を、「Ｑｂ」ともいう。また、以下においては、座標（ｈ，ｖ）により特定される画素（ＬＥＤ５）の実際輝度相対値Ｑｒ，Ｑｇ，Ｑｂを、それぞれ、Ｑｒ（ｈ，ｖ），Ｑｇ（ｈ，ｖ），Ｑｂ（ｈ，ｖ）と表現する。
【０１１５】
複数のＬＥＤ５（ＬＥＤ５ｓ）には初期の輝度ばらつきが存在する。そのため、初期輝度補正係数Ｃｒ０（ｈ，ｖ），Ｃｇ０（ｈ，ｖ），Ｃｂ０（ｈ，ｖ）を用いた初期の輝度補正が行われる。この初期の輝度補正において、輝度維持率を考慮した実際輝度相対値は、以下の式２で示される。
【０１１６】
【数２】
2019092774.tif 000004
【０１１７】
補正係数演算部２５は、上記の式２を用いて実際輝度相対値Ｑｒ（ｈ，ｖ），Ｑｇ（ｈ，ｖ），Ｑｂ（ｈ，ｖ）を算出する。その後、補正係数演算部２５は、Ｒ，Ｇ，Ｂの全画素における、実際輝度相対値の最小値Ｑｒｇｂ＿ｍｉｎを算出する。最小値Ｑｒｇｂ＿ｍｉｎは、全てのＱｒ（ｈ，ｖ）、全てのＱｇ（ｈ，ｖ）、および、全てのＱｂ（ｈ，ｖ）における最も小さい値である。
【０１１８】
以下においては、複数のＬＥＤ５（ＬＥＤ５ｓ）の初期の輝度ばらつきと、累積点灯時間による輝度低下とを補正するための係数を、「非初期輝度補正係数Ｃｒ１，Ｃｇ１，Ｃｂ１」ともいう。また、以下においては、座標（ｈ，ｖ）により特定される画素（ＬＥＤ５）の非初期輝度補正係数Ｃｒ１，Ｃｇ１，Ｃｂ１を、非初期輝度補正係数Ｃｒ１（ｈ，ｖ），Ｃｇ１（ｈ，ｖ），Ｃｂ１（ｈ，ｖ）と表現する。（ｈ，ｖ）は、前述したように、マルチ画面１０Ａにおける画素の座標（位置）を示す。
【０１１９】
そして、補正係数演算部２５は、実際輝度相対値Ｑｒ（ｈ，ｖ），Ｑｇ（ｈ，ｖ），Ｑｂ（ｈ，ｖ）および最小値Ｑｒｇｂ＿ｍｉｎを使用して、以下の式３により、非初期輝度補正係数Ｃｒ１（ｈ，ｖ），Ｃｇ１（ｈ，ｖ），Ｃｂ１（ｈ，ｖ）を算出する。
【０１２０】
【数３】
2019092774.tif 000005
【０１２１】
以上のように、補正係数演算部２５は、すべての表示装置１００の累積点灯時間に基づいて、表示装置１００の各ＬＥＤ５に含まれる各ＬＥＤ５ｓの輝度維持率を算出する。
【０１２２】
そして、補正係数演算部２５は、式２および式３を使用して、初期輝度補正係数Ｃｒ０（ｈ，ｖ），Ｃｇ０（ｈ，ｖ），Ｃｂ０（ｈ，ｖ）を、すべての表示装置１００の輝度維持率に基づいて、非初期輝度補正係数Ｃｒ１（ｈ，ｖ），Ｃｇ１（ｈ，ｖ），Ｃｂ１（ｈ，ｖ）に変更する。なお、複数の輝度維持率は、複数の累積点灯時間を使用して算出される。すなわち、補正係数演算部２５は、複数の累積点灯時間に基づいて、初期輝度補正係数Ｃｒ０（ｈ，ｖ），Ｃｇ０（ｈ，ｖ），Ｃｂ０（ｈ，ｖ）を、非初期輝度補正係数Ｃｒ１（ｈ，ｖ），Ｃｇ１（ｈ，ｖ），Ｃｂ１（ｈ，ｖ）に変更する。
【０１２３】
ここで、例えば、式３の非初期輝度補正係数Ｃｒ１（ｈ，ｖ）は、式２により、Ｑｒｇｂ＿ｍｉｎ×Ｃｒ０（ｈ，ｖ）／Ｐｒ（ｈ，ｖ）と表現される。Ｑｒｇｂ＿ｍｉｎは、Ｒ，Ｇ，Ｂの全画素における実際輝度相対値Ｑｒ（ｈ，ｖ）の最小値である。また、Ｑｒ（ｈ，ｖ）は、式２のように、Ｒ成分の輝度維持率Ｐｒ（ｈ，ｖ）に基づいて算出される値である。したがって、Ｑｒｇｂ＿ｍｉｎは、全画素のＲ成分の輝度維持率に基づいた値である。
【０１２４】
また、初期輝度補正係数Ｃｒ０（ｈ，ｖ）は、個別輝度補正係数×補正係数により算出される。すなわち、非初期輝度補正係数Ｃｒ１は、全画素のＲ成分の輝度維持率と、個別輝度補正係数と、補正係数とに基づいて算出された係数である。
【０１２５】
なお、累積点灯時間を考慮した輝度補正処理では、輝度補正部１２が、非初期輝度補正係数を、総合輝度補正係数として使用して、補正対象の映像データを補正する。すなわち、輝度補正部１２は、個別輝度補正係数と、補正係数と、複数の累積点灯時間とに基づいて、補正対象の映像データを補正する。
【０１２６】
また、前述したように、複数の輝度維持率は、複数の累積点灯時間を使用して算出される。つまり、累積点灯時間を考慮した輝度補正処理では、輝度補正部１２が、個別輝度補正係数と、補正係数と、複数の輝度維持率とに基づいて、補正対象の映像データを補正する。
【０１２７】
補正対象の映像データは、映像信号処理回路１１で処理された映像信号に含まれる映像データ（映像Ｉｍ）である。映像データの補正は、映像データの輝度（階調値）に総合輝度補正係数（非初期輝度補正係数）を乗じることによって行われる。輝度補正処理の詳細な説明は、前述したので、省略する。
【０１２８】
なお、非初期輝度補正係数Ｃｒ１（ｈ，ｖ），Ｃｇ１（ｈ，ｖ），Ｃｂ１（ｈ，ｖ）の計算および輝度補正処理は、一定の時間周期（例えば１００時間）ごとに行われてもよいし、輝度低下の発生時に行われてもよい。輝度低下の発生時は、例えば、最新のＱｒｇｂ＿ｍｉｎが、前回の補正時のＱｒｇｂ＿ｍｉｎより１０％以上低下したときである。
【０１２９】
このようにして運用されている全表示装置配列体５００において、通電時間に応じて補正動作が実施されることにより、マルチ画面１０Ａの全体の輝度が均一である状態が維持される。しかしながら、全表示装置配列体５００が、長期間、運用されているうちに、当該全表示装置配列体５００に含まれる一部の表示装置１００が故障する場合がある。この場合、故障した表示装置１００を、新しい別の表示装置１００に交換することにより、全表示装置配列体５００を復旧させる必要がある。
【０１３０】
以下においては、全表示装置配列体５００に含まれる複数の表示装置１００のうち、新しい別の表示装置１００と交換される必要がある表示装置１００を、「元表示装置」ともいう。元表示装置は、例えば、故障した表示装置１００である。また、以下においては、元表示装置と交換の対象となる新しい表示装置１００を、「交換表示装置」ともいう。
【０１３１】
ここで、全表示装置配列体５００が、長期間、運用されている状態において、故障した表示装置１００が、交換表示装置に交換されたと仮定する。この場合、当該交換表示装置の各ＬＥＤの累積点灯時間は、他の表示装置１００のＬＥＤの累積点灯時間と明らかに異なる。
【０１３２】
ＬＥＤの輝度維持率は、図６に示すように、累積点灯時間が長いほど、低下する。そのため、交換表示装置の各ＬＥＤの累積点灯時間は短い。また、当該交換表示装置の各ＬＥＤの輝度維持率は、他の表示装置１００の各ＬＥＤの輝度維持率よりも高い。
【０１３３】
次に、全表示装置配列体５００において、元表示装置が交換表示装置に交換された場合に行われる処理（以下、「交換対応処理」ともいう）について説明する。以下においては、元表示装置の個別情報を、「元個別情報」ともいう。また、以下においては、交換表示装置の個別情報を、「新個別情報」ともいう。
【０１３４】
交換対応処理では、交換表示装置が、当該交換表示装置の新個別情報を、表示制御装置２００へ送信する。表示制御装置２００の制御回路１３は、パラメータ記憶部２８に記憶されている元個別情報を、受信した新個別情報に置き換える。すなわち、制御回路１３は、元個別情報を、新個別情報に変更する。また、制御回路１３は、交換表示装置に、元表示装置のＩＤを設定する。
【０１３５】
前述したように、表示制御装置２００（パラメータ記憶部２８）は、複数の表示装置１００の個別情報を管理（記憶）している。表示制御装置２００は、複数の個別情報のいずれかの変化に基づいて、複数の表示装置１００のいずれかが、別の表示装置１００と交換されたことを検出する。
【０１３６】
例えば、表示制御装置２００の制御回路１３は、パラメータ記憶部２８に記憶されている複数の個別情報に含まれる元個別情報が新個別情報に変化したことを検出することにより、元表示装置が、交換表示装置と交換されたことを検出する。すなわち、制御回路１３は、全表示装置配列体５００に新たに接続された交換表示装置を検出する。なお、元個別情報が新個別情報に変化した場合、制御回路１３は元個別情報を取得できない。
【０１３７】
なお、交換表示装置の記憶部８には、複数の個別輝度補正係数が予め記憶されている。交換表示装置が検出された場合、表示制御装置２００は、交換表示装置から、当該交換表示装置の複数の個別輝度補正係数を取得する。
【０１３８】
前述したように、表示制御装置２００は、マルチ画面１０Ａにおける、複数の表示装置１００の座標Ｐｄを管理している。以下においては、マルチ画面１０Ａにおける交換表示装置全体の領域を、「交換領域」ともいう。交換表示装置のＩＤが、例えば、６である場合、交換領域は、図２の「ＩＤ＝６」を示す四角の領域である。
【０１３９】
次に、表示制御装置２００（制御回路１３）は、マルチ画面１０Ａにおける、交換表示装置の座標Ｐｄを特定する。そして、表示制御装置２００（制御回路１３）は、マルチ画面１０Ａにおける交換表示装置の座標Ｐｄに基づいて、交換領域を特定する。
【０１４０】
前述したように、パラメータ記憶部２８は、全表示装置配列体５００を構成する複数の表示装置１００の各々の座標Ｐｄを記憶している。交換表示装置の画面１０のサイズは、３２０×１８０画素である。そのため、制御回路１３は、交換表示装置の座標Ｐｄから、交換領域を特定することができる。
【０１４１】
例えば、交換表示装置のＩＤが、１であると仮定する。この場合、交換表示装置の座標Ｐｄは、（０，０）である。そのため、制御回路１３は、座標Ｐｄ（０，０）から、図２の「ＩＤ＝１」を示す四角の領域を、交換領域として特定する。
【０１４２】
なお、前述したように、表示制御装置２００（点灯時間記憶部２４）は、図２の全表示装置配列体５００のマルチ画面１０Ａを構成するｓ個のＬＥＤ５ｓの各々の点灯時間を累積した累積点灯時間を管理している。
【０１４３】
以下においては、マルチ画面１０Ａを構成するｓ個のＬＥＤ５ｓのうち、交換領域に含まれるＬＥＤ５ｓを、「交換ＬＥＤ」ともいう。また、以下においては、マルチ画面１０Ａを構成するｓ個のＬＥＤ５ｓのうち、交換ＬＥＤ以外のＬＥＤ５ｓを、「未交換ＬＥＤ」ともいう。
【０１４４】
次に、表示制御装置２００（制御回路１３）は、点灯時間記憶部２４に記憶されている、１以上の交換ＬＥＤ（ＬＥＤ５ｓ）の累積点灯時間をゼロに設定する。その後、表示制御装置２００（制御回路１３）は、交換ＬＥＤの累積点灯時間を、当該交換ＬＥＤの点灯時間に応じて、変更する。すなわち、ゼロに設定された交換ＬＥＤの累積点灯時間は、交換ＬＥＤの点灯時間の分だけ、累積される。なお、累積点灯時間を更新する処理は、前述したので、説明は省略する。
【０１４５】
以下においては、交換表示装置の画面１０における水平方向の画素の位置を、「位置ｈｎ」または「ｈｎ」ともいう。「ｈｎ」には、０から３１９の値が設定される。また、以下においては、交換表示装置の画面１０における垂直方向の画素の位置を、「位置ｖｎ」または「ｖｎ」ともいう。「ｖｎ」には、０から１７９の値が設定される。また、以下においては、交換表示装置の画面１０における画素の座標（位置）を、「座標Ｐｅ（ｈｎ，ｖｎ）」、「座標Ｐｅ」または「（ｈｎ，ｖｎ）」と表現する。
【０１４６】
交換表示装置は、前述の初期輝度補正係数を算出する処理と同様な処理を行う。これにより、交換表示装置のパラメータ記憶部２８には、複数の初期輝度補正係数が記憶される。以下においては、交換表示装置における画素（ＬＥＤ５）のＲ，Ｇ，Ｂ成分の初期輝度補正係数を、「初期輝度補正係数Ｃｒ０，Ｃｇ０，Ｃｂ０」ともいう。また、以下においては、交換表示装置の画面１０において、座標Ｐｅ（ｈｎ，ｖｎ）により特定される画素（ＬＥＤ５）の初期輝度補正係数Ｃｒ０，Ｃｇ０，Ｃｂ０を、初期輝度補正係数Ｃｒ０（ｈｎ，ｖｎ），Ｃｇ０（ｈｎ，ｖｎ），Ｃｂ０（ｈｎ，ｖｎ）と表現する。交換表示装置のパラメータ記憶部２８には、複数の初期輝度補正係数Ｃｒ０（ｈｎ，ｖｎ），Ｃｇ０（ｈｎ，ｖｎ），Ｃｂ０（ｈｎ，ｖｎ）が記憶されている。
【０１４７】
以下においては、交換表示装置の各画素のＲ輝度維持率、Ｇ輝度維持率、Ｂ輝度維持率を、「輝度維持率Ｐｒｎ，Ｐｇｎ，Ｐｂｎ」ともいう。また、以下においては、交換表示装置の画面１０において、座標Ｐｅ（ｈｎ，ｖｎ）により特定される画素のＲ輝度維持率、Ｇ輝度維持率、Ｂ輝度維持率を、それぞれ、Ｐｒｎ（ｈｎ，ｖｎ）、Ｐｇｎ（ｈｎ，ｖｎ）、Ｐｂｎ（ｈｎ，ｖｎ）と表現する。
【０１４８】
補正係数演算部２５は、点灯時間記憶部２４に記憶されている、交換表示装置に対応する全ての交換ＬＥＤの累積点灯時間と、テーブルＴｂ１とに基づいて、交換表示装置の全ての輝度維持率Ｐｒｎ（ｈｎ，ｖｎ）、Ｐｇｎ（ｈｎ，ｖｎ）、Ｐｂｎ（ｈｎ，ｖｎ）を算出する。なお、輝度維持率の算出には、テーブルＴｂ１の代わりに前述の近似式が使用されてもよい。
【０１４９】
また、補正係数演算部２５は、点灯時間記憶部２４に記憶されている、全ての未交換ＬＥＤの累積点灯時間と、テーブルＴｂ１とに基づいて、当該各未交換ＬＥＤの輝度維持率を算出する。
【０１５０】
以下においては、交換表示装置の各ＬＥＤ５のＬＥＤ５ｓｒ，５ｓｇ，５ｓｂの実際輝度相対値を、「実際輝度相対値Ｑｒｎ，Ｑｇｎ，Ｑｂｎ」ともいう。また、以下においては、交換表示装置の画面１０において、座標Ｐｅ（ｈｎ，ｖｎ）により特定される画素（ＬＥＤ５）の実際輝度相対値Ｑｒｎ，Ｑｇｎ，Ｑｂｎを、Ｑｒｎ（ｈｎ，ｖｎ），Ｑｇｎ（ｈｎ，ｖｎ），Ｑｂｎ（ｈｎ，ｖｎ）と表現する。
【０１５１】
前述したように、複数のＬＥＤ５（ＬＥＤ５ｓ）には初期の輝度ばらつきが存在する。そのため、初期輝度補正係数Ｃｒ０（ｈｎ，ｖｎ），Ｃｇ０（ｈｎ，ｖｎ），Ｃｂ０（ｈｎ，ｖｎ）を用いた初期の輝度補正が行われる。この初期の輝度補正において、輝度維持率を考慮した実際輝度相対値は、以下の式４で示される。
【０１５２】
【数４】
2019092774.tif 000006
【０１５３】
補正係数演算部２５は、輝度維持率Ｐｒｎ（ｈｎ，ｖｎ）、Ｐｇｎ（ｈｎ，ｖｎ）、Ｐｂｎ（ｈｎ，ｖｎ）および初期輝度補正係数Ｃｒ０（ｈｎ，ｖｎ），Ｃｇ０（ｈｎ，ｖｎ），Ｃｂ０（ｈｎ，ｖｎ）を用いて、上記の式４により、実際輝度相対値Ｑｒｎ（ｈｎ，ｖｎ），Ｑｇｎ（ｈｎ，ｖｎ），Ｑｂｎ（ｈｎ，ｖｎ）を算出する。以下においては、全表示装置配列体５００を構成する複数の表示装置１００のうち、交換表示装置以外の表示装置１００を、「未交換表示装置」ともいう。
【０１５４】
その後、補正係数演算部２５は、全ての未交換表示装置のＲ，Ｇ，Ｂの全画素における、実際輝度相対値の最小値Ｑｒｇｂ＿ｍｉｎを算出する。当該最小値Ｑｒｇｂ＿ｍｉｎは、マルチ画面１０Ａのうち交換領域以外の領域に含まれる全てのＬＥＤ５ｓに対応する、複数のＱｒ（ｈ，ｖ）、複数のＱｇ（ｈ，ｖ）、および、複数のＱｂ（ｈ，ｖ）における最も小さい値である。
【０１５５】
以下においては、交換表示装置における複数のＬＥＤ５（ＬＥＤ５ｓ）の初期の輝度ばらつきと、累積点灯時間による輝度低下とを補正するための係数を、「非初期輝度補正係数Ｃｒｎ１，Ｃｇｎ１，Ｃｂｎ１」ともいう。また、以下においては、座標Ｐｅ（ｈｎ，ｖｎ）により特定される画素（ＬＥＤ５）の非初期輝度補正係数Ｃｒｎ１，Ｃｇｎ１，Ｃｂｎ１を、非初期輝度補正係数Ｃｒｎ１（ｈｎ，ｖｎ），Ｃｇｎ１（ｈｎ，ｖｎ），Ｃｂｎ１（ｈｎ，ｖｎ）と表現する。
【０１５６】
そして、補正係数演算部２５は、実際輝度相対値Ｑｒｎ（ｈｎ，ｖｎ），Ｑｇｎ（ｈｎ，ｖｎ），Ｑｂｎ（ｈｎ，ｖｎ）、および、算出した最小値Ｑｒｇｂ＿ｍｉｎを使用して、以下の式５により、非初期輝度補正係数Ｃｒｎ１（ｈｎ，ｖｎ），Ｃｇｎ１（ｈｎ，ｖｎ），Ｃｂｎ１（ｈｎ，ｖｎ）を算出する。
【０１５７】
【数５】
2019092774.tif 000007
【０１５８】
以上のように、表示制御装置２００（制御回路１３）は、マルチ画面１０Ａにおける交換表示装置の座標Ｐｄに基づいて、交換領域を特定する。表示制御装置２００（制御回路１３）は、点灯時間記憶部２４に記憶されている、交換領域に対応する１以上の交換ＬＥＤ（ＬＥＤ５ｓ）の累積点灯時間をゼロに設定する。
【０１５９】
補正係数演算部２５は、交換表示装置に対応する全ての交換ＬＥＤの輝度維持率を算出する。また、補正係数演算部２５は、全ての未交換ＬＥＤの累積点灯時間と、テーブルＴｂ１とに基づいて、当該各未交換ＬＥＤの輝度維持率を算出する。
【０１６０】
そして、補正係数演算部２５は、式４および式５を使用して、交換表示装置の初期輝度補正係数Ｃｒ０，Ｃｇ０，Ｃｂ０を、交換表示装置の輝度維持率Ｐｒｎ，Ｐｇｎ，Ｐｂｎに基づいて、非初期輝度補正係数Ｃｒｎ１，Ｃｇｎ１，Ｃｂｎ１に変更する。
【０１６１】
なお、累積点灯時間および交換表示装置を考慮した輝度補正処理では、輝度補正部１２が、非初期輝度補正係数Ｃｒｎ１，Ｃｇｎ１，Ｃｂｎ１を、総合輝度補正係数として使用して、補正対象の映像データを補正する。なお、輝度補正処理の詳細な説明は、前述したので、省略する。
【０１６２】
なお、本実施の形態では、元個別情報が新個別情報に変化したこと（元個別情報が取得できないこと）により、表示制御装置２００の制御回路１３が、元表示装置が交換表示装置と交換されたことを検出（判定）してたが、これに限定されない。例えば、パラメータ記憶部２８にあらかじめ記憶されている、各表示装置１００の個別情報と、定期的に更新される各表示装置１００の個別情報が一致しない場合、元表示装置が交換表示装置と交換されたと判定されてもよい。
【０１６３】
（実施の形態１のまとめ）
以上説明したように、本実施の形態によれば、特定の表示装置１００は、第１補正輝度を表示制御装置２００へ送信する。他の表示装置１００は、第２補正輝度を表示制御装置２００へ送信する。表示制御装置２００の算出部２５は、補正対象の映像データの補正に第１補正輝度および第２補正輝度を反映させるための補正係数を、当該第１補正輝度と当該第２補正輝度とに基づいて算出する。
【０１６４】
補正係数は、補正対象の映像データの補正に第１補正輝度および第２補正輝度を反映させるための係数である。すなわち、補正係数は、映像データの補正において利用される係数である。また、補正係数は、第１補正輝度と第２補正輝度とに基づいて算出される。そのため、第１補正輝度と第２補正輝度とに基づいて、映像データの補正において利用される補正係数を算出する構成は、複数の補正輝度に基づいて、映像データの補正を行うための構成に相当する。したがって、複数の補正輝度に基づいて、映像データの補正を行うための構成を有する表示システム１０００を提供することができる。
【０１６５】
また、本実施の形態では、製品としての表示システム１０００が工場から出荷される前の調整工程において、表示装置１００毎に、輝度および色度を均一にするための個別輝度補正係数および補正輝度が設定される。１画素ごとの当該個別輝度補正係数および補正輝度は、各表示装置１００の記憶部８に記憶される。
【０１６６】
そして、複数の表示装置１００を組み合わせて全表示装置配列体５００が構成される初期設置時に、表示制御装置２００は、全表示装置配列体５００を構成する全ての表示装置１００から取得した補正輝度に基づいて補正係数を算出する。そして、表示制御装置２００は、当該補正係数と、全ての表示装置１００から取得した個別輝度補正係数とに基づいて、各表示装置１００の表示に用いられる映像信号を補正する。これにより、複数の表示装置１００間における輝度ばらつきなどが抑制されるように、各ＬＥＤ５の輝度を調整することができる。
【０１６７】
また、本実施の形態では、表示制御装置２００は、マルチ画面１０Ａを構成するｓ個のＬＥＤ５ｓの各々の点灯時間を累積した累積点灯時間を管理している。また、マルチ画面１０Ａにおける輝度が均一になるように、累積点灯時間に基じて、各ＬＥＤ５ｓの輝度の補正が行われる。これにより、表示システム１０００の初期設置後においても、複数の表示装置１００間における輝度ばらつきなどを抑制することができる。
【０１６８】
また、本実施の形態では、表示制御装置２００は、全ての表示装置１００の個別情報を管理する。これにより、表示システム１０００の運用中において、故障した元表示装置が交換表示装置に交換された場合、表示制御装置２００は、当該元表示装置が当該交換表示装置に交換されたことを検出することができる。
【０１６９】
また、本実施の形態では、表示制御装置２００は、マルチ画面１０Ａを構成するｓ個のＬＥＤ５ｓの各々の累積点灯時間を管理している。元表示装置が交換表示装置に交換された場合、交換表示装置の座標に対応する交換領域に対応する交換ＬＥＤ（ＬＥＤ５ｓ）の累積点灯時間をゼロに設定する。
【０１７０】
さらに、表示制御装置２００は、交換表示装置から、当該交換表示装置の記憶部８に予め記憶されている個別輝度補正係数を取得する。そして、表示制御装置２００は、全ての未交換表示装置の累積点灯時間に基づいて、目標輝度、および、目標色度を再設定する。これにより、全ての未交換表示装置の目標輝度および色度を表現するよう、交換表示装置の輝度および色度が自動で調整される。そのため、元表示装置が当該交換表示装置に交換された後においても、交換表示装置を含む全ての表示装置１００の輝度および色度が均一に保たれる。すなわち、元表示装置が当該交換表示装置に交換された状態においても、交換表示装置を含む複数の表示装置１００間における輝度ばらつきを抑制することができる。
【０１７１】
なお、表示システムに含まれる各表示装置については、製品としての表示システムが工場から出荷される前の調整工程において、１画素単位で、輝度の計測および補正が行われ、表示装置ごとに輝度および色度が均一となるように調整されている。
【０１７２】
一方、フルＨＤ画像を表示する表示システムでは、全ての表示装置の輝度が同じになるよう調整される必要がある。具体的には、全ての表示装置の全てのＬＥＤの輝度ばらつきを考慮して、当該全てのＬＥＤの輝度が、最小輝度に設定される必要がある。当該最小輝度は、全てのＬＥＤの輝度のうち、最も小さい輝度である。
【０１７３】
しかしながら、各表示装置が、当該最小輝度のＬＥＤを必ずしも含むとは限らない。そのため、表示システムの初期設置時の輝度が、過度に低下してしまうという問題がある。
【０１７４】
また、最小輝度でない輝度が目標輝度となるように調整されても、目標輝度を表現できない表示装置が存在する場合がある。この場合、複数の表示装置を組み合わせた後に、表示装置単位で、輝度ばらつきを調整しなければならず、手間がかかるという問題がある。
【０１７５】
なお、関連構成Ｂの技術を利用すれば、表示装置単位で、輝度および色度の均一性を高めることは可能である。しかしながら、ＬＥＤの累積点灯時間は、表示装置ごとに異なる。その結果、輝度維持率も、表示装置ごとに異なる。したがって、表示装置間で輝度および色度のばらつきが発生する。
【０１７６】
また、初期輝度を予め設定しておき、初期輝度を維持するように輝度を制御しても、初期輝度を維持できない表示装置において、輝度ばらつきおよび色ばらつきが発生する場合がある。この場合、表示装置が表示する画像の画質が低下するという問題がある。また、表示装置において画質の低下が発生した場合、当該表示装置（元表示装置）を新しい表示装置（交換表示装置）に交換する必要がある。
【０１７７】
元表示装置が交換表示装置に交換された場合、これまで運用してきた他の表示装置と、交換表示装置では、累積点灯時間が異なる。そのため、輝度維持率が、これまで運用してきた他の表示装置と異なる。これにより、表示装置間で輝度および色度のばらつきが発生するという問題があった。
【０１７８】
そこで、本実施の形態の表示システム１０００は、上記のような構成を有する。そのため、本実施の形態の表示システム１０００により、上記の問題を解決することができる。
【０１７９】
（機能ブロック図）
図８は、表示システムＢＬ５０の特徴的な機能構成を示すブロック図である。表示システムＢＬ５０は、表示システム１０００に相当する。つまり、図８は、表示システムＢＬ５０が有する機能のうち、本技術に関わる主要な機能を示すブロック図である。
【０１８０】
表示システムＢＬ５０は、複数の表示装置ＢＬ１０と、表示制御装置ＢＬ２０とを含む。複数の表示装置ＢＬ１０の各々は、表示装置１００に相当する。複数の表示装置ＢＬ１０の各々は、複数のＬＥＤで構成される画面を有する。表示制御装置ＢＬ２０は、複数の表示装置ＢＬ１０と通信する。表示制御装置ＢＬ２０は、表示制御装置２００に相当する。
【０１８１】
各表示装置ＢＬ１０は、各当該ＬＥＤの輝度の補正に使用するための輝度補正係数、当該輝度補正係数により補正された、当該各ＬＥＤの輝度である補正輝度、および、当該表示装置ＢＬ１０の個別情報を記憶する記憶部ＢＬ１を備える。記憶部ＢＬ１は、記憶部８に相当する。
【０１８２】
複数の表示装置ＢＬ１０のうちの特定の表示装置ＢＬ１０は、当該特定の表示装置ＢＬ１０の当該補正輝度である第１補正輝度を表示制御装置ＢＬ２０へ送信する。複数の表示装置ＢＬ１０のうち、特定の表示装置ＢＬ１０以外の他の表示装置ＢＬ１０は、当該他の表示装置ＢＬ１０の当該補正輝度である第２補正輝度を表示制御装置ＢＬ２０へ送信する。
【０１８３】
表示制御装置ＢＬ２０は、複数の表示装置ＢＬ１０に対応する複数の個別情報を管理する。表示制御装置ＢＬ２０は、補正対象の映像データの補正に前記第１補正輝度および前記第２補正輝度を反映させるための補正係数を、当該第１補正輝度と当該第２補正輝度とに基づいて算出する算出部ＢＬ３を備える。算出部ＢＬ３は、補正係数演算部２５に相当する。
【０１８４】
各表示装置ＢＬ１０は、前記輝度補正係数と前記補正係数とに基づき補正された前記補正対象の映像データに基づいて、前記複数のＬＥＤを駆動させる駆動部ＢＬ２をさらに備える。駆動部ＢＬ２は、駆動部４に相当する。
【０１８５】
（その他の変形例）
以上、本発明の実施の形態に係る表示システムについて説明したが、本発明は、当該実施の形態に限定されるものではない。本発明の主旨を逸脱しない範囲内で、当業者が思いつく変形を実施の形態に施したものも、本発明に含まれる。つまり、本発明は、その発明の範囲内において、実施の形態を自由に組み合わせたり、実施の形態を適宜、変形、省略することが可能である。
【０１８６】
たとえば、表示装置１００および表示制御装置２００の各々は、図で示される全ての構成要素を含まなくてもよい。すなわち、表示装置１００および表示制御装置２００の各々は、本実施の形態の効果を実現できる最小限の構成要素のみを含めばよい。
【０１８７】
また、表示制御装置２００に含まれる、補正係数演算部２５の機能は、処理回路により実現されてもよい。当該処理回路は、補正対象の映像データの補正に前記第１補正輝度および前記第２補正輝度を反映させるための補正係数を、当該第１補正輝度と当該第２補正輝度とに基づいて算出するための回路である。
【０１８８】
処理回路は、専用のハードウエアであってよい。また、処理回路は、メモリに格納されるプログラムを実行するプロセッサであってもよい。当該プロセッサは、例えば、ＣＰＵ（Central Processing Unit）、中央処理装置、演算装置、マイクロプロセッサ、マイクロコンピュータ、ＤＳＰ（Digital Signal Processor）等である。
【０１８９】
以下においては、処理回路が専用のハードウエアである構成を、「構成Ｃｓ１」ともいう。また、以下においては、処理回路が、プロセッサである構成を、「構成Ｃｓ２」ともいう。
【０１９０】
構成Ｃｓ１では、処理回路は、例えば、単一回路、複合回路、プログラム化されたプロセッサ、並列プログラム化されたプロセッサ、ＡＳＩＣ（Application Specific Integrated Circuit）、ＦＰＧＡ（Field Programmable Gate Array）、またはこれらを組み合わせたものが該当する。
【０１９１】
なお、表示制御装置２００に含まれる各構成要素の全てまたは一部を、ハードウエアで示した構成は、例えば、以下のようになる。以下においては、表示制御装置２００に含まれる各構成要素の全てまたは一部を、ハードウエアで示した表示制御装置を、「表示制御装置ｈｄ１０」ともいう。
【０１９２】
図９は、表示制御装置ｈｄ１０のハードウエア構成図である。図９を参照して、表示制御装置ｈｄ１０は、プロセッサｈｄ１と、メモリｈｄ２とを備える。メモリｈｄ２は、例えば、ＲＡＭ（Random Access Memory）、ＲＯＭ（Read Only Memory）、フラッシュメモリ、ＥＰＲＯＭ、ＥＥＰＲＯＭ等の、不揮発性または揮発性の半導体メモリである。また、例えば、メモリｈｄ２は、磁気ディスク、フレキシブルディスク、光ディスク、コンパクトディスク、ミニディスク、ＤＶＤ等である。メモリｈｄ２は、今後使用されるあらゆる記憶媒体であってもよい。
【０１９３】
構成Ｃｓ２では、処理回路は、プロセッサｈｄ１である。構成Ｃｓ２では、補正係数演算部２５の機能は、ソフトウエア、ファームウエア、またはソフトウエアとファームウエアとの組み合わせにより実現される。ソフトウエアまたはファームウエアは、プログラムとして記述され、メモリｈｄ２に格納される。
【０１９４】
また、構成Ｃｓ２では、処理回路（プロセッサｈｄ１）が、メモリｈｄ２に記憶されたプログラムを読み出して、当該プログラムを実行することにより、補正係数演算部２５の機能は実現される。すなわち、メモリｈｄ２は、以下のプログラムを格納する。
【０１９５】
当該プログラムは、補正対象の映像データの補正に前記第１補正輝度および前記第２補正輝度を反映させるための補正係数を、当該第１補正輝度と当該第２補正輝度とに基づいて算出するステップを、処理回路（プロセッサｈｄ１）に実行させるためのプログラムである。
【０１９６】
また、当該プログラムは、補正係数演算部２５が行う処理の手順、当該処理を実行する方法等をコンピュータに実行させるものでもある。
【０１９７】
以上の構成Ｃｓ１および構成Ｃｓ２のように、処理回路は、ハードウエア、ソフトウエア、ファームウエア等によって、上述の各機能を実現することができる。
【０１９８】
また、本技術は、表示制御装置２００が備える特徴的な構成部の動作をステップとする補正係数算出方法として実現してもよい。
【０１９９】
また、本技術は、そのような補正係数算出方法に含まれる各ステップをコンピュータに実行させるプログラムとして実現してもよい。また、本技術は、そのようなプログラムを格納するコンピュータ読み取り可能な記録媒体として実現されてもよい。また、当該プログラムは、インターネット等の伝送媒体を介して配信されてもよい。
【０２００】
上記実施の形態で用いた全ての数値は、本技術を具体的に説明するための一例の数値である。すなわち、本技術は、上記実施の形態で用いた各数値に制限されない。
【０２０１】
なお、本発明は、その発明の範囲内において、実施の形態を適宜、変形、省略することが可能である。
【０２０２】
例えば、全表示装置配列体５００に含まれる複数の表示装置１００は、３つのグループに分類されるとしたが、これに限定されない。当該複数の表示装置１００は、１つのグループに属するようにしてもよい。この場合、当該複数の表示装置１００は、通信ケーブル（図示せず）によりデイジーチェーン接続される。
【０２０３】
また、例えば、マルチ画面１０Ａの解像度は、１９２０×１０８０画素に限定されない。マルチ画面１０Ａの解像度は、例えば、３８４０×２１６０画素であってもよい。
【０２０４】
また、例えば、画面１０の解像度は、３２０×１８０画素に限定されず、他の解像度あってもよい。
【０２０５】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０２０６】
４，ＢＬ２  駆動部、５，５ｓ，５ｓｂ，５ｓｇ，５ｓｒ  ＬＥＤ、８，ＢＬ１  記憶部、１０  画面、１２  輝度補正部、２５  補正係数演算部、５０  表示部、１００，ＢＬ１０  表示装置、２００，ＢＬ２０，ｈｄ１０  表示制御装置、５００  全表示装置配列体、１０００，ＢＬ５０  表示システム。
【図１】
2019092774.tif 000008
【図２】
2019092774.tif 000009
【図３】
2019092774.tif 000010
【図４】
2019092774.tif 000011
【図５】
2019092774.tif 000012
【図６】
2019092774.tif 000013
【図７】
2019092774.tif 000014
【図８】
2019092774.tif 000015
【図９】
2019092774.tif 000016
【国際調査報告】
2019092774.tif 000017
2019092774.tif 000018
2019092774.tif 000019
2019092774.tif 000020